(57)【要約】【課題】ツマミ付きネイルアップリケを提供する。【解決手段】本発明の実施形態のネイルアップリケは、離型シートの上面に接着剤を介して備えられ、付着部領域とツマミ領域とに区分される上部層と、ツマミ領域に対応して、離型シートを全切り処理ラインとして領域を形成した裏面ツマミと、を含む。本発明の実施形態のネイルアップリケは、ユーザがツマミを掴み容易にユーザの指爪または足指に付着されるので、接着剤が異物に汚染されて汚くなること、そして接着力が落ちることを防止することができる効果がある。【選択図】図２
2016002449.tif 000002
【特許請求の範囲】
【請求項１】
離型シートの上面に接着剤を介して備えられ、付着部領域とツマミ領域とに区分される上部層と、
前記ツマミ領域に対応して、前記離型シートを全切り処理ラインとして領域を形成した裏面ツマミと、
を含むネイルアップリケ。
【請求項２】
前記付着部領域は、前記離型シートと共に外側に突設されたことを特徴とする請求項１に記載のネイルアップリケ。
【請求項３】
前記上部層は、ポリスチレン（ＰＳ）樹脂、ＡＢＳ樹脂、ＳＢＳブロック樹脂、ＥＶＡ樹脂、ＰＥ、ＰＰ、ＰＶＣ、ＴＰＵ、ポリアミド、ポリエステル、及びアクリル系高分子のうち、いずれか１つの樹脂、または少なくとも２つの混合物で形成されることを特徴とする請求項１に記載のネイルアップリケ。
【請求項４】
前記裏面ツマミは、丸い頭状と、前記丸い頭状から両側に延びた羽根状を有する形状に備えられ、
前記羽根状の両側にそれぞれ折曲線を備えることを特徴とする請求項１に記載のネイルアップリケ。
【請求項５】
前記ツマミ領域と前記裏面ツマミは、前記離型シートから突設されることを特徴とする請求項１に記載のネイルアップリケ。
【請求項６】
前記上部層の付着部領域は、外側に丸い屈曲を有し、前記離型シートのモジュラスよりも高いモジュラスを有することを特徴とする請求項１に記載のネイルアップリケ。
【発明の詳細な説明】
【技術分野】
【０００１】
本発明は、ネイルアップリケに関する。特に、ツマミを備えて、ユーザの便宜を図ったネイルアップリケに関する。
【背景技術】
【０００２】
最近、女性の美しさに対する積極的な表現演出と所得レベルの向上とによって、指爪美容と足爪美容とにマニキュアを多く使っており、また多種のマニキュアが販売されている。
【０００３】
しかし、既存のマニキュアは、いずれも液状の形態であって、筆などを用いて‘塗るマニキュア’であり、この場合、塗る時間が長くかかるだけではなく、マニキュアのエナメル成分が直ちに乾燥されず、長時間待たなければならないために、活動に制約を受ける。
【０００４】
また、マニキュアを剥がすときも、固まっているエナメルを消すために、アセトン成分のリムーバーを使うために、臭いも良くなく、指爪・足指の栄養にも良くないだけでなく、消す時間も長くかかるという問題点が発生する。
【０００５】
このような問題点を克服するために、特許文献１のように、人工爪が開発されて使われているが、人工爪は、人工爪の背面に接着手段が備えられておらず、接着剤を付着して使わなければならない。
【０００６】
この際、人工爪をユーザの指爪などに付着する過程で、背面に付着した接着剤が異物に汚染されて、人工爪の背面が汚なくなる、または接着剤の接着力が落ちるという問題点がある。
【先行技術文献】
【特許文献】
【０００７】
【特許文献１】韓国登録特許公報第１０−０３７０３７７号
【発明の概要】
【発明が解決しようとする課題】
【０００８】
本発明は、前記問題点を解消するために案出されたものであって、本発明の目的は、ツマミを備えて、ユーザの便宜を図ったネイルアップリケを提供することである。
【課題を解決するための手段】
【０００９】
本発明の実施形態のネイルアップリケは、離型シートの上面に接着剤を介して備えられ、付着部領域とツマミ領域とに区分される上部層と、前記ツマミ領域に対応して、前記離型シートを全切り処理ラインとして領域を形成した裏面ツマミと、を含む。
【００１０】
本発明の実施形態のネイルアップリケにおいて、前記付着部領域は、前記離型シートと共に外側に突設されたことを特徴とする。
【００１１】
本発明の実施形態のネイルアップリケにおいて、前記上部層は、ポリスチレン（ＰＳ）樹脂、ＡＢＳ樹脂（Ａｃｒｙｌｏｎｉｔｒｉｌｅ  Ｂｕｔａｄｉｅｎｅ  Ｓｔｙｒｅｎｅ  Ｃｏｐｏｌｙｍｅｒ）、ＳＢＳブロック樹脂（Ｓｔｙｒｅｎｅ−Ｂｕｔａｄｉｅｎｅ−Ｓｔｙｒｅｎｅ  Ｂｌｏｃｋ  Ｃｏｐｏｌｙｍｅｒ）、ＥＶＡ樹脂（Ｅｔｈｙｌｅｎｅ  Ｖｉｎｙｌ  Ａｃｅｔａｔｅ  Ｃｏｐｏｌｙｍｅｒ）、ＰＥ、ＰＰ、ＰＶＣ、ＴＰＵ、ポリアミド、ポリエステル、及びアクリル系高分子のうち、いずれか１つの樹脂、または少なくとも２つの混合物で形成されることを特徴とする。
【００１２】
本発明の実施形態のネイルアップリケにおいて、前記裏面ツマミは、丸い頭状と、前記丸い頭状から両側に延びた羽根状を有する形状に備えられ、前記羽根状の両側にそれぞれ折曲線を備えることを特徴とする。
【００１３】
本発明の実施形態のネイルアップリケにおいて、前記ツマミ領域と前記裏面ツマミは、前記離型シートから突設されることを特徴とする。
【００１４】
本発明の実施形態のネイルアップリケにおいて、前記上部層の付着部領域は、外側に丸い屈曲（ｓｍｉｌｅ  ｌｉｎｅ）を有し、前記離型シートのモジュラスよりも高いモジュラスを有することを特徴とする。
【００１５】
本発明の特徴及び利点は、添付図面に基づいた次の詳細な説明でさらに明らかになる。
【００１６】
これに先立って、本明細書及び特許請求の範囲に使われた用語や単語は、通常の、辞書的な意味として解釈されてはならず、発明者が自分の発明を最善の方法で説明するために、用語の概念を適切に定義できるという原則に基づいて、本発明の技術的思想に符合する意味と概念として解釈しなければならない。
【発明の効果】
【００１７】
本発明の実施形態のネイルアップリケは、ユーザがツマミを取って容易にユーザの指爪または足指に付着されるので、接着剤が異物に汚染されて汚くなること、そして接着力が落ちることを防止することができる。
【図面の簡単な説明】
【００１８】
【図１Ａ】本発明の第１実施形態のネイルアップリケを多数備えたシートの前面図である。
【図１Ｂ】本発明の第１実施形態のネイルアップリケを多数備えたシートの背面図である。
【図２】本発明の第１実施形態のネイルアップリケを使う過程を示す例示図である。
【図３Ａ】本発明の第２実施形態のネイルアップリケを多数備えたシートの前面図である。
【図３Ｂ】本発明の第２実施形態のネイルアップリケを多数備えたシートの背面図である。
【図４】本発明の第２実施形態のネイルアップリケを使う過程を示す例示図である。
【図５Ａ】本発明の第３実施形態のネイルアップリケを多数備えたシートの前面図である。
【図５Ｂ】本発明の第３実施形態のネイルアップリケを多数備えたシートの背面図である。
【図６】本発明の第３実施形態のネイルアップリケを使う過程を示す例示図である。
【図７Ａ】本発明の第４実施形態のネイルアップリケを多数備えたシートの前面図である。
【図７Ｂ】本発明の第４実施形態のネイルアップリケを多数備えたシートの背面図である。
【図８】本発明の第４実施形態のネイルアップリケを使う過程を示す例示図である。
【発明を実施するための形態】
【００１９】
本発明の目的、特定の長所及び新規な特徴は、添付図面と関連する以下の詳細な説明と望ましい実施形態とからさらに明らかになる。本明細書で、各図面の構成要素に参照番号を付け加えるに当って、同じ構成要素に限っては、たとえ他の図面上に表示されていても、可能な限り同じ番号を付するということに留意しなければならない。また、第１、第２などの用語は、多様な構成要素の説明に使われうるが、前記構成要素は、前記用語によって限定されるものではない。前記用語は、１つの構成要素を他の構成要素から区別する目的のみで使われる。また、本発明を説明するに当って、関連した公知技術についての具体的な説明が、本発明の要旨を不明にする恐れがあると判断される場合、その詳細な説明は省略する。
【００２０】
以下、添付図面を参照して、本発明の望ましい実施形態を詳しく説明する。
【００２１】
図１Ａは、本発明の第１実施形態のネイルアップリケを多数備えたシートの前面図であり、図１Ｂは、本発明の第１実施形態のネイルアップリケを多数備えたシートの背面図であり、図２の（ａ）ないし図２の（ｃ）は、本発明の第１実施形態のネイルアップリケを使う過程を示す例示図である。
【００２２】
本発明の第１実施形態のネイルアップリケ１００は、離型シート１０１に多数備えられるように製造されるものであって、離型シート１０１と共に外側に突出した形態を有し、ユーザの指爪または足指に付着される付着部１１１と、付着部１１１に連結され、ユーザが手に取ることができるツマミ１１２とを含む。
【００２３】
離型シート１０１は、特に限定されるものではないが、例えば、離型処理された紙、ＰＥＴ（Ｐｏｌｙｅｔｈｙｌｅｎｅ  Ｔｅｒｅｐｈｔｈａｌａｔｅ）、ＰＰ、ＰＥ、ＥＶＡ、ナイロンのうち何れか１つを用いて備えられうる。
【００２４】
ネイルアップリケ１００は、このような離型シート１０１の上面に接着剤１０４を介して付着され、付着部１１１領域とツマミ１１２領域とに区分される上部層１１０、及びツマミ１１２領域の離型シート１０１を全切り処理ラインとして領域を形成した裏面ツマミ１０１−２からなる。
【００２５】
具体的に、上部層１１０は、可撓性のフィルムで、例えば、ポリスチレン（ＰＳ）樹脂、ＡＢＳ樹脂、ＳＢＳブロック樹脂、ＥＶＡ樹脂、ＰＥ、ＰＰ、ＰＶＣ、ＴＰＵ、ポリアミド、ポリエステル、アクリル系高分子のうちの１つの樹脂であるか、またはこれらのうち、少なくとも２種の共重合体または少なくとも２種のブレンドで形成されうる。
【００２６】
このような上部層１１０は、付着部１１１がユーザの指爪または足指に付着されるとき、しわの形成を防止すると共に、曲面状の密着状態を気密に保持できるように、引張伸率が３０％〜４００％であり、引張強度が１００ＭＰａ〜４００ＭＰａであるフィルムで備えられうる。
【００２７】
ここで、引張伸率は、試料がどれほど伸張されるかを測定するためのものであって、引張試験機を使って規格試料を定められた速度で引っ張って、切断されたときの伸びた長さを百分率で表わす。上部層１１０の引張伸率は、米国材料試験学会の薄いプラスチックシートの引張試験（Ａｍｅｒｉｃａｎ  Ｓｏｃｉｅｔｙ  ｆｏｒ  Ｔｅｓｔｉｎｇ  Ｍａｔｅｒｉａｌｓ−Ｄ８８２）値を基準とする。
【００２８】
ツマミ１１２領域と裏面ツマミ１０１−２は、接着剤１０４を中間に介在した対称構造であって、図１Ａと図１Ｂとに示したように、丸い頭状と、丸い頭状から両側に延びた羽根状からなる形状に備えられる。
【００２９】
特に、裏面ツマミ１０１−２は、図１Ｂに示したように、羽根状に両側に折曲線１０１−２２を備え、折曲線１０１−２２に沿って曲がる。これにより、ネイルアップリケ１００は、このような折曲線１０１−２２を通じて容易に曲がった曲面形態に変換されて、ユーザの指爪または足指に曲面状に気密に付着されうる。
【００３０】
このような本発明の第１実施形態のネイルアップリケ１００は、図２の（ａ）に示したように、離型シート１０１に多数備えられた形態に設けられ、ユーザは、ネイルアップリケ１００のツマミ１１２を離型シート１０１から取り外す。この際、ツマミ１１２の裏面ツマミ１０１−２は、離型シート１０１を全切り処理ラインとして形成された状態なので、図２の（ｂ）に示したように、裏面ツマミ１０１−２を上向きに反ってツマミ１１２を離型シート１０１から容易に取り外すことができる。
【００３１】
以後、図２の（ｃ）に示したように、付着部１１１まで取り外せば、本発明の第１実施形態のネイルアップリケ１００は、Ｉ−Ｉ’線に沿って切断した右側の断面形態のように付着部１１１の接着剤１０４が露出される。
【００３２】
この際、ユーザは、裏面ツマミ１０１−２を含んだツマミ１１２を掴み接着剤１０４を介して付着部１１１をユーザの指爪または足指などに付着し、器具を用いてユーザの指爪または足指などのサイズに合わせて付着部１１１を切断することができる。
【００３３】
これにより、本発明の第１実施形態のネイルアップリケ１００は、ユーザがツマミ１１２を取って容易にユーザの指爪または足指に付着されるので、接着剤１０４が異物に汚染されて、背面が汚なくなるか、または接着力が落ちることを防止することができる。
【００３４】
以下、本発明の第２実施形態のネイルアップリケについて、図３Ａないし図４の（ｃ）を参照して説明する。図３Ａは、本発明の第２実施形態のネイルアップリケを多数備えたシートの前面図であり、図３Ｂは、本発明の第２実施形態のネイルアップリケを多数備えたシートの背面図であり、図４の（ａ）ないし図４の（ｃ）は、本発明の第２実施形態のネイルアップリケを使う過程を示す例示図である。
【００３５】
本発明の第２実施形態のネイルアップリケ２００は、離型シート２０１に多数備えられるように製造されるものであって、ユーザの指爪または足指に付着される付着部２１１と、付着部２１１に連結され、ユーザが手に取ることができるツマミ２１２とを含む。
【００３６】
特に、本発明の第２実施形態のネイルアップリケ２００は、離型シート２０１の上面に接着剤２０４を介して付着され、内側の付着部２１１領域と外側のツマミ２１２領域とに区分される上部層２１０、及び離型シート２０１に対して全切り処理ライン２０５として区分され、外側のツマミ２１２領域に対応して離型シート２０１と共に突設された裏面ツマミ２０１−２を含んで構成されるという点で、本発明の第１実施形態のネイルアップリケ１００と差異がある。
【００３７】
これにより、本発明の第２実施形態のネイルアップリケ２００の説明が、本発明の第１実施形態のネイルアップリケ１００の説明と同一の部分は省略する。
【００３８】
本発明の第２実施形態のネイルアップリケ２００は、ツマミ２１２と裏面ツマミ２０１−２とが離型シート２０１から突設されて、ユーザがツマミ２１２と裏面ツマミ２０１−２とを取りやすい特徴がある。
【００３９】
具体的に、図４の（ａ）に示したように、本発明の第２実施形態のネイルアップリケ２００が、離型シート２０１の上面に接着剤２０４を介して多数設けられた状態で、図４の（ｂ）に示したように、ユーザが、ツマミ２１２と裏面ツマミ２０１−２とを取って上向きに反って裏面ツマミ２０１−２を離型シート２０１から容易に取り外すことができる。
【００４０】
この際、裏面ツマミ２０１−２は、全切り処理ライン２０５によって離型シート２０１から容易に分離され、図４の（ｃ）に示したように、ユーザは、外側のツマミ２１２と裏面ツマミ２０１−２とを取って付着部２１１まで取り外すことができる。
【００４１】
これにより、本発明の第２実施形態のネイルアップリケ２００は、ＩＩ−ＩＩ’線に沿って切断した右側の断面形態のように付着部２１１の接着剤２０４が露出され、ユーザは、裏面ツマミ２０１−２を含んだツマミ２１２を掴み接着剤２０４を介して付着部２１１をユーザの指爪または足指などに付着し、器具を用いてユーザの指爪または足指などのサイズに合わせて付着部２１１を切断することができる。
【００４２】
以下、本発明の第３実施形態のネイルアップリケについて、図５Ａないし図６の（ｃ）を参照して説明する。図５Ａは、本発明の第３実施形態のネイルアップリケを多数備えたシートの前面図であり、図５Ｂは、本発明の第３実施形態のネイルアップリケを多数備えたシートの背面図であり、図６の（ａ）ないし図６の（ｃ）は、本発明の第３実施形態のネイルアップリケを使う過程を示す例示図である。
【００４３】
本発明の第３実施形態のネイルアップリケ３００は、図５Ａと図５Ｂとに示したように、離型シート３０１の上面に接着剤を介して備えられ、外側の付着部３１１領域と内側のツマミ３１２領域とに区分される上部層と、及びツマミ３１２領域に対応して離型シート３０１を全切り処理ラインとして領域を形成した裏面ツマミ３０１−２とからなりうる。
【００４４】
このような本発明の第３実施形態のネイルアップリケ３００は、図５Ｂに示したように、裏面ツマミ３０１−２が、ツマミ３１２領域に対応して全切り処理ラインとして離型シート３０１に領域を形成するという点で差異がある。
【００４５】
また、本発明の第３実施形態のネイルアップリケ３００は、図６の（ａ）に示したように、離型シート３０１に多数備えられた形態で設けられ、ユーザは、ネイルアップリケ３００のツマミ３１２を離型シート３０１から取り外す。この際、ツマミ３１２の裏面ツマミ３０１−２は、離型シート３０１を全切り処理して領域に形成された状態なので、図６の（ｂ）に示したように、裏面ツマミ３０１−２を上向きに反って裏面ツマミ３０１−２を離型シート３０１から容易に取り外すことができる。
【００４６】
以後、図６の（ｃ）に示したように、ユーザが、ツマミ３１２と裏面ツマミ３０１−２とを取って付着部３１１まで取り外せば、本発明の第３実施形態のネイルアップリケ３００は、付着部３１１の接着剤が露出される。
【００４７】
この際、ユーザは、裏面ツマミ３０１−２を含んだツマミ３１２を掴み接着剤を介して付着部３１１をユーザの指爪または足指などに付着し、器具を用いてユーザの指爪または足指などのサイズに合わせて付着部３１１を切断することができる。
【００４８】
これにより、本発明の第３実施形態のネイルアップリケ３００は、ユーザが裏面ツマミ３０１−２を含んだツマミ３１２を取って容易にユーザの指爪または足指に付着されるので、接着剤が異物に汚染されて、汚なくなるか、または接着力が落ちることを防止することができる。
【００４９】
以下、本発明の第４実施形態のネイルアップリケについて、図７Ａないし図８の（ｃ）を参照して説明する。図７Ａは、本発明の第４実施形態のネイルアップリケを多数備えたシートの前面図であり、図７Ｂは、本発明の第４実施形態のネイルアップリケを多数備えたシートの背面図であり、図８の（ａ）ないし図８の（ｃ）は、本発明の第４実施形態のネイルアップリケを使う過程を示す例示図である。
【００５０】
本発明の第４実施形態のネイルアップリケ４００は、フレンチ型ネイルアップリケであって、ユーザの指爪の先端に付着され、外側に丸い屈曲を有する付着部４１１と、付着部４１１に連結され、ユーザが手に取ることができるツマミ４１２とを含む。
【００５１】
特に、本発明の第４実施形態のネイルアップリケ４００は、離型シート４０１の上面に接着剤を介して備えられ、外側の付着部４１１領域と内側のツマミ４１２領域とに区分される上部層と、離型シート４０１に対して全切り処理ラインとしてツマミ４１２領域に対応する領域が備えられた裏面ツマミ４０１−２とを含んで構成される。
【００５２】
この際、選択的に、本発明の第４実施形態のネイルアップリケ４００は、上部層の付着部４１１がユーザの指爪の先端に付着されるフレンチ形態で利用されるので、外側先端が丸い形状に備えられた上部層の付着部４１１が、離型シート４０１のモジュラスよりも高いモジュラス、例えば、ＡＳＴＭ  Ｄ７９０のテスト方法を行ったとき、５，０００〜５０，０００Ｋｇ／ｃｍ２のモジュラスを有し、両側面に曲がった曲面を有するように形成されうる。
【００５３】
このような上部層の付着部４１１は、高いモジュラスを有するように形成されて、ユーザの指爪または足指に付着された後で、収縮現象を防止し、外部衝撃の影響を防止することができる。
【００５４】
このように構成された本発明の第４実施形態のネイルアップリケ４００は、ユーザがツマミ４１２と裏面ツマミ４０１−２とを取って付着部４１１をユーザの指爪または足指に付着しやすいという特徴がある。
【００５５】
すなわち、本発明の第４実施形態のネイルアップリケ４００は、図８の（ａ）に示したように、離型シート４０１に多数備えられた形態に設けられ、ユーザは、ネイルアップリケ４００のツマミ４１２を離型シート４０１から取り外す。この際、ツマミ４１２に対応する裏面ツマミ４０１−２は、離型シート４０１を全切り処理して領域に形成された状態なので、図８の（ｂ）に示したように、裏面ツマミ４０１−２を上向きに反って裏面ツマミ４０１−２を離型シート４０１から容易に取り外すことができる。
【００５６】
以後、図８の（ｃ）に示したように、ユーザが、ツマミ４１２と裏面ツマミ４０１−２とを取って付着部４１１まで取り外せば、本発明の第４実施形態のネイルアップリケ４００は、付着部４１１の接着剤が露出される。
【００５７】
この際、ユーザは、裏面ツマミ４０１−２を含んだツマミ４１２を取って接着剤を介して付着部４１１をユーザの指爪または足指などの先端部分に付着し、器具を用いて所望のサイズに付着部４１１を切断して備えることができる。
【００５８】
これにより、本発明の第４実施形態のネイルアップリケ４００は、ユーザが裏面ツマミ４０１−２とツマミ４１２とを取って容易にユーザの指爪または足指に付着されるので、接着剤が異物に汚染されて汚くなること、そして接着力が落ちることを防止することができる。
【００５９】
本発明の技術思想は、前記望ましい実施形態によって具体的に記述されたが、前述した実施形態は、その説明のためのものであり、その制限のためのものではないということを注意しなければならない。
【００６０】
また、当業者ならば、本発明の技術思想の範囲内で多様な実施が可能であるということを理解できるであろう。
【産業上の利用可能性】
【００６１】
本発明は、ツマミ付きネイルアップリケ関連の分野に適用可能である。
【符号の説明】
【００６２】
１００：ネイルアップリケ
１０１：離型シート
１０１−２：裏面ツマミ
１０２−２２：折曲線
１０４：接着剤
１１０：上部層
１１１：付着部
１１２：ツマミ
【図１Ａ】
2016002449.tif 000003
【図１Ｂ】
2016002449.tif 000004
【図２】
2016002449.tif 000005
【図３Ａ】
2016002449.tif 000006
【図３Ｂ】
2016002449.tif 000007
【図４】
2016002449.tif 000008
【図５Ａ】
2016002449.tif 000009
【図５Ｂ】
2016002449.tif 000010
【図６】
2016002449.tif 000011
【図７Ａ】
2016002449.tif 000012
【図７Ｂ】
2016002449.tif 000013
【図８】
2016002449.tif 000014